(57)【要約】【課題】  携帯通信端末の位置と店舗の位置の関係のみから広告データを配信し、位置情報の中に広告を挿入して表示することで、簡単にユーザーの目に広告を触れさせることができる広告配信サーバ、地図配信サーバ、携帯通信端末および広告配信システムを提供する。【解決手段】  携帯通信端末に広告データを配信する広告配信サーバであって、広告データおよびこれに対応付けて緯度経度を表わす位置データを格納する広告データ格納部と、地図配信サーバから送信される携帯通信端末の緯度経度を表わす端末位置データを受信する第１の受信部と、第１の受信部により受信された端末位置データが表わす緯度経度から所定範囲内を表わす位置データが対応付けられる広告データを広告データ格納部から読み出す第１の制御部と、広告データ格納部から読み出された広告データを、携帯通信端末へ送信する第１の送信部とを備える。【選択図】  図１
2006279182.tif 000002
【特許請求の範囲】
【請求項１】
ＧＰＳ機能を有する携帯通信端末と前記携帯通信端末に地図データを配信する地図配信サーバとに電気通信網を介して接続され、前記携帯通信端末に広告データを配信する広告配信サーバであって、
前記広告データおよび前記広告データに対応付けられる緯度経度を表わす位置データを格納する広告データ格納部と、
前記携帯通信端末の緯度経度を表わす端末位置データを受信する第１の受信部と、
前記第１の受信部により受信された前記端末位置データが表わす緯度経度から所定範囲内を表わす位置データが対応付けられる広告データを前記広告データ格納部から読み出す第１の制御部と、
前記広告データ格納部から読み出された前記広告データを、前記携帯通信端末へ送信する第１の送信部と、を備えることを特徴とする広告配信サーバ。
【請求項２】
各携帯通信端末に対応付けてポイント量を表わす数値データを蓄積するポイント蓄積部を更に備え、
前記広告データ格納部は、各広告データに対応付けて詳細情報データを格納し、
前記第１の受信部は、前記携帯通信端末から詳細情報データの送信を要求する詳細要求信号を受信し、
前記第１の制御部は、前記第１の受信部からの前記詳細要求信号の入力を受けて、前記詳細要求信号により要求される前記詳細情報データを前記広告データ格納部から読み出すとともに、前記ポイント蓄積部に蓄積される前記数値データを更新し、
前記第１の送信部は、前記広告データ格納部から読み出された前記詳細情報データを、前記携帯通信端末へ送信することを特徴とする請求項１記載の広告配信サーバ。
【請求項３】
各携帯通信端末に対応付けてポイント量を表わす数値データを蓄積するポイント蓄積部を更に備え、
前記第１の受信部は、前記携帯通信端末から詳細情報データの送信を要求する詳細要求信号を受信し、
前記第１の制御部は、前記詳細要求信号が特定のトリガー情報を有する場合には、前記トリガー情報により転送先サーバを指定し、前記携帯通信端末を前記転送先サーバにアクセスさせる転送処理を行なうとともに、前記ポイント蓄積部に蓄積される前記数値データを更新することを特徴とする請求項１記載の広告配信サーバ。
【請求項４】
前記第１の受信部は、前記携帯通信端末から前記ポイント量に対応するポイント情報の送信を要求するポイント情報要求信号を受信し、
前記第１の制御部は、前記第１の受信部からの前記ポイント情報要求信号の入力を受け、前記携帯通信端末に対応付けて蓄積される前記数値データを前記ポイント蓄積部から読み出し、前記数値データに基づくポイント情報を作成し、
前記第１の送信部は、前記第１の制御部が作成した前記ポイント情報を、前記携帯通信端末へ送信することを特徴とする請求項２または請求項３記載の広告配信サーバ。
【請求項５】
各広告データに対応付けて、詳細情報データの送信を要求された回数を表わす第１の回数データを蓄積する第１の回数蓄積部を更に備え、
前記第１の受信部は、前記携帯通信端末から前記詳細情報データの送信を要求する詳細要求信号を受信し、
前記第１の制御部は、前記第１の受信部から前記詳細要求信号の入力を受け、前記詳細要求信号により要求される前記詳細情報データを前記携帯通信端末に取得させる処理を行なうとともに、前記第１の回数蓄積部に蓄積される第１の回数データを更新し、
前記第１の送信部は、前記広告データ格納部から読み出された前記詳細情報データを前記携帯通信端末に送信することを特徴とする請求項１に記載の広告配信サーバ。
【請求項６】
ＧＰＳ機能を有する携帯通信端末に地図データを配信する地図配信サーバであって、
地図データを格納する地図データ格納部と、
前記携帯通信端末から前記地図データの送信を要求する地図要求信号を受信する第２の受信部と、
各広告データに対応付けて、前記広告データに関連付けられた目的地へのナビゲーション用に前記地図要求信号を受信した回数を表わす第２の回数データを蓄積する第２の回数蓄積部と、
前記第２の受信部からの前記地図要求信号を受け、前記地図要求信号により要求される前記地図データを前記地図データ格納部から読み出して出力するとともに、前記地図要求信号が前記広告データに関連付けられた目的地へのナビゲーション用である場合には、前記第２の回数蓄積部に蓄積される第２の回数データを更新する第２の制御部と、
前記第２の制御部により出力される前記地図データを前記携帯通信端末に送信する第２の送信部と、を備えることを特徴とする地図配信サーバ。
【請求項７】
請求項１記載の広告配信サーバに電気通信網を介して接続される携帯通信端末であって、
前記広告データを画像により表示する表示部と、
前記表示部の画像に対応付けて、ナビゲーション機能の起動を選択する操作を受け付ける操作部と、
前記操作部への操作を受けて、前記地図要求信号および前記端末位置データを出力するとともに、前記広告データに対応付けられた位置までのナビゲーションの処理を行なう第３の制御部と、
前記第３の制御部により出力された前記地図要求信号および前記端末位置データを送信する第３の送信部と、
前記地図要求信号に応じ前記地図配信サーバから送信される前記地図データを受信する第３の受信部と、を備え、
前記表示部は、前記第３の制御部のナビゲーションの処理に伴い前記第３の受信部が受信した前記地図データを画像により表示することを特徴とする携帯通信端末。
【請求項８】
請求項４記載の広告配信サーバに電気通信網を介して接続される携帯通信端末であって、
前記ポイント情報の送信を要求する操作を受け付ける操作部と、
前記操作部への操作により、前記ポイント情報の送信を要求するポイント情報要求信号を出力する第３の制御部と、
前記第３の制御部により出力された前記ポイント情報要求信号を送信する第３の送信部と、
前記ポイント情報要求信号に応じ前記広告配信サーバから送信される前記ポイント情報を受信する第３の受信部と、
前記第３の受信部が受信した前記ポイント情報に基づき、ユーザーへの特典を表わす画像を表示する表示部と、を備えることを特徴とする携帯通信端末。
【請求項９】
請求項１から請求項５のいずれかに記載の広告配信サーバと、
地図データを格納する地図データ格納部、
前記携帯通信端末から送信される前記地図要求信号を受信する第２の受信部、
前記第２の受信部が受信した前記地図要求信号に対し、地図データを前記地図データ格納部から読み出して出力するとともに、前記端末位置データを出力する第２の制御部、および
前記第２の制御部が出力する前記地図データを前記携帯通信端末に送信するとともに、前記端末位置データを前記広告配信サーバに送信する第２の送信部を有する地図配信サーバと、
ＧＰＳ機能により前記端末位置データを生成する位置データ生成部、
前記位置データ生成部で生成された前記端末位置データおよび地図データの配信を要求する地図要求信号を出力する第３の制御部、
前記第３の制御部により出力された前記端末位置データおよび前記地図要求信号を前記地図配信サーバに送信する第３の送信部、
前記地図配信サーバにより送信された前記地図データおよび前記広告配信サーバにより送信された前記広告データを受信する第３の受信部、ならびに
前記地図データおよび前記広告データを画像により表示する表示部を有する携帯通信端末と、
を備えることを特徴とする広告配信システム。
【発明の詳細な説明】
【技術分野】
【０００１】
本発明は、位置データに基づきデータを送受信する広告配信サーバ、地図配信サーバ、携帯通信端末および広告配信システムに関する。
【背景技術】
【０００２】
従来から、ＷＥＢを利用した広告ビジネスが行なわれている。たとえば、広告主から広告代理店を通じて依頼を受け、データベースとサーバを接続したシステムを用い、広告メディアの企画・開発、広告配信、システムの運用等を行なう広告配信サービスが知られている。このような広告配信サービスには、ＷＥＢを利用して時間帯に合った広告を配信するサービスがあり、たとえば通勤の帰りの時間帯に駅付近の居酒屋の情報を配信するサービスが行なわれている。
【０００３】
また、それらの広告配信サービスには、サーバにより、携帯電話端末が特定のエリアに位置するときに広告を配信するものがある。たとえば、特許文献１に記載されている携帯電話端末用広告配信方法では、予め配信を希望する携帯電話端末が特定のエリアに位置するときに、携帯電話事業者サーバが動画による広告を配信する。また、携帯電話事業者サーバにより、携帯電話端末へ広告を配信した後に、携帯電話端末へ配信した広告の対象店舗への道順情報等の携帯電話端末の使用者を店舗へ導くための情報を時々刻々配信する。
【特許文献１】特開２００４−１５７６０号公報
【発明の開示】
【発明が解決しようとする課題】
【０００４】
しかしながら、特許文献１に記載されている携帯電話端末用広告配信方法では、携帯電話機が特定エリアに存在することを判断するため、携帯電話端末と店舗との距離が近い場合であっても、携帯電話端末が特定エリアにない場合には、店舗の広告や店舗へ導くための情報は配信されない。また、特許文献１に記載されている携帯電話端末用広告配信方法に用いられるシステムでは、携帯電話事業者サーバは、移動体通信網がカバーする領域の地図情報を登録するデータベースを一体にして備えているが、現実的には情報を収集し地図を作成して管理するのは、携帯電話事業者とは別の専門の管理者である。地図を記憶するデータベースと広告情報を配信するサーバとは、それぞれ別の管理下においてデータの更新を行なう必要がある。
【０００５】
本発明は、このような事情に鑑みてなされたものであり、携帯通信端末の位置と店舗の位置の関係のみから広告データを配信し、位置情報の中に広告を挿入して表示することで、簡単にユーザーの目に広告を触れさせることができる広告配信サーバ、地図配信サーバ、携帯通信端末および広告配信システムを提供することを目的とする。
【課題を解決するための手段】
【０００６】
（１）上記の目的を達成するため、本発明の広告配信サーバは、ＧＰＳ機能を有する携帯通信端末と前記携帯通信端末に地図データを配信する地図配信サーバとに電気通信網を介して接続され、前記携帯通信端末に広告データを配信する広告配信サーバであって、前記広告データおよび前記広告データに対応付けられる緯度経度を表わす位置データを格納する広告データ格納部と、前記携帯通信端末の緯度経度を表わす端末位置データを受信する第１の受信部と、前記第１の受信部により受信された前記端末位置データが表わす緯度経度から所定範囲内を表わす位置データが対応付けられる広告データを前記広告データ格納部から読み出す第１の制御部と、前記広告データ格納部から読み出された前記広告データを、前記携帯通信端末へ送信する第１の送信部と、を備えることを特徴としている。
【０００７】
このように、携帯通信端末の位置から所定範囲内に関連付けられた広告データが送信されるため、ユーザーにとって店舗を探すのに便利な手段となる。店舗側はユーザーを店舗まで誘導する有効な手段を得ることができる。携帯通信端末の位置と店舗の位置の関係のみから広告データを配信するため、簡易で合理的な広告配信を実現できる。また、広告配信サーバと地図配信サーバとが別々に設けられているため、広告配信サーバと地図配信サーバとを別の管理下においてそれぞれデータの更新を行なうことができる。
【０００８】
（２）また、本発明の広告配信サーバは、各携帯通信端末に対応付けてポイント量を表わす数値データを蓄積するポイント蓄積部を更に備え、前記広告データ格納部は、各広告データに対応付けて詳細情報データを格納し、前記第１の受信部は、前記携帯通信端末から詳細情報データの送信を要求する詳細要求信号を受信し、前記第１の制御部は、前記第１の受信部からの前記詳細要求信号の入力を受けて、前記詳細要求信号により要求される前記詳細情報データを前記広告データ格納部から読み出すとともに、前記ポイント蓄積部に蓄積される前記数値データを更新し、前記第１の送信部は、前記広告データ格納部から読み出された前記詳細情報データを、前記携帯通信端末へ送信することを特徴としている。
【０００９】
これにより、広告配信サーバに携帯通信端末ごとに蓄積されたポイント量を表わす数値データを商品やサービスと交換可能にするシステムに利用することができる。その結果、店舗側は、ユーザーに対してポイントを用いた新たなサービスを提供することができ、ユーザーは、クーポンの獲得など、ポイントを利用したサービスを受けることができる。
【００１０】
（３）また、本発明の広告配信サーバは、各携帯通信端末に対応付けてポイント量を表わす数値データを蓄積するポイント蓄積部を更に備え、前記第１の受信部は、前記携帯通信端末から詳細情報データの送信を要求する詳細要求信号を受信し、前記第１の制御部は、前記詳細要求信号が特定のトリガー情報を有する場合には、前記トリガー情報により転送先サーバを指定し、前記携帯通信端末を前記転送先サーバにアクセスさせる転送処理を行なうとともに、前記ポイント蓄積部に蓄積される前記数値データを更新することを特徴としている。
【００１１】
これにより、携帯電話機が他のサーバにアクセスして詳細情報を取得する場合でも、広告配信サーバを経由するため、ポイントを加算することが可能になる。
【００１２】
（４）また、本発明の広告配信サーバは、前記第１の受信部は、前記携帯通信端末から前記ポイント量に対応するポイント情報の送信を要求するポイント情報要求信号を受信し、前記第１の制御部は、前記第１の受信部からの前記ポイント情報要求信号の入力を受け、前記携帯通信端末に対応付けて蓄積される前記数値データを前記ポイント蓄積部から読み出し、前記数値データに基づくポイント情報を作成し、前記第１の送信部は、前記第１の制御部が作成した前記ポイント情報を、前記携帯通信端末へ送信することを特徴としている。
【００１３】
これにより、広告配信サーバに蓄積された数値データから作成されたポイント情報を携帯通信端末に取り込み、ポイント情報をクーポンに反映させて表示する。たとえば、ユーザーがポイント情報を利用したクーポン表示を店舗に見せることで割引を受けるサービスを可能にする。
【００１４】
（５）また、本発明の広告配信サーバは、各広告データに対応付けて、詳細情報データの送信を要求された回数を表わす第１の回数データを蓄積する第１の回数蓄積部を更に備え、前記第１の受信部は、前記携帯通信端末から前記詳細情報データの送信を要求する詳細要求信号を受信し、前記第１の制御部は、前記第１の受信部から前記詳細要求信号の入力を受け、前記詳細要求信号により要求される前記詳細情報データを前記携帯通信端末に取得させる処理を行なうとともに、前記第１の回数蓄積部に蓄積される第１の回数データを更新し、前記第１の送信部は、前記広告データ格納部から読み出された前記詳細情報データを前記携帯通信端末に送信することを特徴としている。
【００１５】
これにより、記憶された第１の回数データを処理して、詳細情報へのアクセス数からサービスの利用状況や、統計データを算出することを可能にする。また、第１の回数データを反映させて、効率的な課金システムを提供することができる。
【００１６】
（６）また、本発明の地図配信サーバは、ＧＰＳ機能を有する携帯通信端末に地図データを配信する地図配信サーバであって、地図データを格納する地図データ格納部と、前記携帯通信端末から前記地図データの送信を要求する地図要求信号を受信する第２の受信部と、各広告データに対応付けて、前記広告データに関連付けられた目的地へのナビゲーション用に前記地図要求信号を受信した回数を表わす第２の回数データを蓄積する第２の回数蓄積部と、前記第２の受信部からの前記地図要求信号を受け、前記地図要求信号により要求される前記地図データを前記地図データ格納部から読み出して出力するとともに、前記地図要求信号が前記広告データに関連付けられた目的地へのナビゲーション用である場合には、前記第２の回数蓄積部に蓄積される第２の回数データを更新する第２の制御部と、前記第２の制御部により出力される前記地図データを前記携帯通信端末に送信する第２の送信部と、を備えることを特徴としている。
【００１７】
これにより、店舗等は、ナビゲーションを利用して店舗等まで足を運んだユーザーの数を把握することができる。また、広告事業者は、ナビゲーション利用数に基づく課金システムを構築できる。
【００１８】
（７）また、本発明の携帯通信端末は、前記広告配信サーバに電気通信網を介して接続される携帯通信端末であって、前記広告データを画像により表示する表示部と、前記表示部の画像に対応付けて、ナビゲーション機能の起動を選択する操作を受け付ける操作部と、前記操作部への操作を受けて、前記地図要求信号および前記端末位置データを出力するとともに、前記広告データに対応付けられた位置までのナビゲーションの処理を行なう第３の制御部と、前記第３の制御部により出力された前記地図要求信号および前記端末位置データを送信する第３の送信部と、前記地図要求信号に応じ前記地図配信サーバから送信される前記地図データを受信する第３の受信部と、を備え、前記表示部は、前記第３の制御部のナビゲーションの処理に伴い前記第３の受信部が受信した前記地図データを画像により表示することを特徴としている。
【００１９】
これにより、位置情報の中に表示される広告に対してユーザーの操作を受けることで、携帯通信端末に店舗までのナビゲーションを行なう機能を持たせることができる。ユーザーが興味を持った店舗にユーザーを誘導することを可能にする。
【００２０】
（８）また、本発明の携帯通信端末は、広告配信サーバに電気通信網を介して接続される携帯通信端末であって、前記ポイント情報の送信を要求する操作を受け付ける操作部と、前記操作部への操作により、前記ポイント情報の送信を要求するポイント情報要求信号を出力する第３の制御部と、前記第３の制御部により出力された前記ポイント情報要求信号を送信する第３の送信部と、前記ポイント情報要求信号に応じ前記広告配信サーバから送信される前記ポイント情報を受信する第３の受信部と、前記第３の受信部が受信した前記ポイント情報に基づき、ユーザーへの特典を表わす画像を表示する表示部と、を備えることを特徴としている。
【００２１】
これにより、携帯通信端末の要求により、ポイントの情報を取得でき、簡易にクーポン表示をすることが可能になる。その結果、ユーザーの地域情報の活用を促進することができ、店舗にとっての宣伝効果を高めることができる。
【００２２】
（９）また、本発明の広告配信システムは、上記の広告配信サーバと、地図データを格納する地図データ格納部、前記携帯通信端末から送信される前記地図要求信号を受信する第２の受信部、前記第２の受信部が受信した前記地図要求信号に対し、地図データを前記地図データ格納部から読み出して出力するとともに、前記端末位置データを出力する第２の制御部、および前記第２の制御部が出力する前記地図データを前記携帯通信端末に送信するとともに、前記端末位置データを前記広告配信サーバに送信する第２の送信部を有する地図配信サーバと、ＧＰＳ機能により前記端末位置データを生成する位置データ生成部、前記位置データ生成部で生成された前記端末位置データおよび地図データの配信を要求する地図要求信号を出力する第３の制御部、前記第３の制御部により出力された前記端末位置データおよび前記地図要求信号を前記地図配信サーバに送信する第３の送信部、前記地図配信サーバにより送信された前記地図データおよび前記広告配信サーバにより送信された前記広告データを受信する第３の受信部、ならびに前記地図データおよび前記広告データを画像により表示する表示部を有する携帯通信端末と、を備えることを特徴としている。
【００２３】
これにより、携帯通信端末の位置情報の中に広告が挿入されて表示されるため、邪魔にならずにユーザーの目に広告を触れさせることができる。ユーザーにとって店舗を探すのに便利なシステムを構築することができる。店舗側はユーザーを店舗まで誘導する有効な手段を得られる。携帯通信端末の位置と店舗の位置の関係のみから広告データを配信することができ、簡易で合理的なシステムを提供することができる。また、広告配信サーバと地図配信サーバとが別々に設けられているため、広告配信サーバと地図配信サーバとを別の管理下においてそれぞれデータの更新を行なうことができる。
【発明の効果】
【００２４】
本発明の広告配信サーバによれば、ユーザーにとって店舗を探すのに便利な手段となる。店舗側はユーザーを店舗まで誘導する有効な手段を得ることができる。携帯通信端末の位置と店舗の位置の関係のみから広告データを配信するため、簡易で合理的な広告配信を実現できる。また、広告配信サーバと地図配信サーバとが別々に設けられているため、広告配信サーバと地図配信サーバとを別の管理下においてそれぞれデータの更新を行なうことができる。
【００２５】
また、本発明の広告配信サーバによれば、広告配信サーバに携帯通信端末ごとに蓄積されたポイント量を表わす数値データを商品やサービスと交換可能にするシステムに利用することができる。その結果、店舗側は、ユーザーに対してポイントを用いた新たなサービスを提供することができ、ユーザーは、クーポンの獲得など、ポイントを利用したサービスを受けることができる。
【００２６】
また、本発明の広告配信サーバによれば、携帯電話機が他のサーバにアクセスして詳細情報を取得する場合でも、広告配信サーバを経由するため、ポイントを加算することが可能になる。
【００２７】
また、本発明の広告配信サーバによれば、広告配信サーバに蓄積された数値データから作成されたポイント情報を携帯通信端末に取り込み、ポイント情報をクーポンに反映させて表示する。たとえば、ユーザーがポイント情報を利用したクーポン表示を店舗に見せることで割引を受けるサービスを可能にする。
【００２８】
また、本発明の広告配信サーバによれば、記憶された第１の回数データを処理して、サービスの利用状況の確認や、統計データとして活用することを可能にする。また、第１の回数データを反映させる課金システムを提供することができる。
【００２９】
また、本発明の地図配信サーバによれば、店舗はナビゲーションを利用して店舗まで足を運んだユーザーの数を把握することができる。また、広告事業者は、ナビゲーション利用数に基づく課金システムを構築できる。
【００３０】
また、本発明の携帯通信端末によれば、位置情報の中に広告が表示されたときに、ユーザーの操作を受けて、携帯通信端末に店舗までのナビゲーションを行なう機能を持たせることができる。ユーザーが興味を持った店舗にユーザーを誘導することを可能にする。
【００３１】
また、本発明の携帯通信端末によれば、携帯通信端末の要求により、ポイントの情報を取得でき、簡易にクーポン表示をすることが可能になる。その結果、ユーザーの地域情報の活用を促進することができ、店舗にとっての宣伝効果を高めることができる。
【００３２】
また、本発明の広告配信システムによれば、携帯通信端末の位置情報の中に広告が挿入されて表示されるため、邪魔にならずにユーザーの目に広告を触れさせることができる。ユーザーにとって店舗を探すのに便利なシステムを構築することができる。店舗側はユーザーを店舗まで誘導する有効な手段を得られる。携帯通信端末の位置と店舗の位置の関係のみから広告データを配信することができ、簡易で合理的なシステムを提供することができる。また、広告配信サーバと地図配信サーバとが別々に設けられているため、広告配信サーバと地図配信サーバとを別の管理下においてそれぞれデータの更新を行なうことができる。
【発明を実施するための最良の形態】
【００３３】
次に、本発明の実施の形態について、図面を参照しながら説明する。
【００３４】
（実施形態１）
図１は、広告配信システム１のブロック図である。広告配信システム１は、広告配信サーバ２、地図配信サーバ３および携帯電話機４から構成されている。広告配信サーバ２、地図配信サーバ３および携帯電話機４のそれぞれは電気通信網５に接続されており、広告配信サーバ２と地図配信サーバ３との間は、電気通信網５を介することなく直接に通信可能となっている。なお、広告配信サーバ２と地図配信サーバ３との間の通信手段は、電気通信網５のみ、または直接の通信手段のみであってもよい。また、携帯通信端末として携帯電話機４を例に挙げて説明するが、携帯電話機４以外にＰＤＡ等であってもよい。
【００３５】
図１に示すように、広告配信サーバ２は、広告データ格納部１１、ポイント蓄積部１２、回数蓄積部１３、送受信部１４、および制御部１５を備えている。広告配信サーバ２は、たとえば、広告主に対して広告サービスを提供する広告事業者のような主体により管理されている。飲食店の店舗やフリーマーケットを開催、運営する運営者等が広告主になりうる。
【００３６】
広告データ格納部１１は、広告データおよび緯度経度を表わし、広告データに対応付けられた位置データを格納する。たとえば、店舗の広告データを、その店舗の緯度経度を表わす位置データとともに格納する。広告データとは、広く広告の表示を行なうためのデータおよび詳細情報の提供に繋がるデータをいう。たとえば、画像データ、文字データ、アイコン表示用データ、ＷＥＢサイトのＵＲＬデータを含む。さらに、広告データ格納部１１は、各広告データに対応付けて詳細情報データを格納する。詳細情報データとは、たとえば、店舗の電話番号、店舗までの交通手段、開店時間やクーポン情報等の店舗に関する情報のデータである。広告データ格納部１１は、ＲＡＭ、ＲＯＭ、ハードディスク等の記憶装置により構成される。
【００３７】
ポイント蓄積部１２は、各携帯電話機４に対応付けてポイント量を表わす数値データを蓄積する。ポイント量とは、システムの利用があったとき携帯電話機４ごとに溜まるポイントの点数である。ポイント蓄積部１２は、ＲＡＭ、ハードディスク等の記憶装置により構成される。
【００３８】
回数蓄積部１３（第１の回数蓄積部）は、各広告データに対応付けて、詳細情報データの送信を要求された回数を表わす回数データ（第１の回数データ）を蓄積する。回数データとは、広告の詳細情報にアクセスがあったときに、加算されるアクセス数である。回数蓄積部１３は、ＲＡＭ、ハードディスク等の記憶装置により構成される。
【００３９】
送受信部１４は、外部との間でデータまたは信号の送受信を行なうインターフェースである。送受信部１４は、第１の送信部および第１の受信部に該当する。送受信部１４は、受信したデータまたは信号を制御部１５へ出力し、制御部１５から入力されるデータまたは信号を、地図配信サーバ３や携帯電話機４に送信する。
【００４０】
制御部１５（第１の制御部）は、携帯電話機４の位置を表わす端末位置データの緯度経度から所定範囲内の経度緯度を表わす位置データが対応付けられて格納される広告データを広告データ格納部１１から読み出す。端末位置データは、携帯電話機４から直接、または地図配信サーバ３を介して受信される。所定範囲は、たとえば半径２００ｍｍ以内であってもよいし、半径５００ｍ以内であってもよく、広告配信サーバ２の設定次第である。携帯電話機４ごとにユーザーが所定範囲の設定を選択するシステムとしてもよい。
【００４１】
このように、携帯電話機４の位置から所定範囲内に関連付けられた広告データが送信されるため、ユーザーにとって店舗等を探すのに便利な手段となる。店舗側はユーザーを店舗まで誘導する有効な手段を得ることができる。携帯電話機４の位置と店舗等の位置の関係のみから広告データを配信するため、簡易で合理的な広告配信を実現できる。また、広告配信サーバ２と地図配信サーバ３とが別々に設けられているため、広告配信サーバ２と地図配信サーバ３とを別の管理下においてそれぞれデータの更新を行なうことができる。したがって別々の管理を行なう現状へ対応しやすく効率がよい。
【００４２】
また、制御部１５は、詳細要求信号の入力を受けて、詳細要求信号により要求される詳細情報データを広告データ格納部１１から読み出すとともに、ポイント量を増加させるようにポイント蓄積部１２に蓄積される数値データを更新する。詳細要求信号とは、ユーザーにより詳細情報を要求する選択操作があったときに携帯電話機４から発信される信号である。これにより、広告配信サーバ２に携帯電話機４ごとに蓄積されたポイント量を表わす数値データを商品やサービスと交換可能にするシステムに利用することができる。その結果、店舗側は、ユーザーに対してポイントを用いた新たなサービスを提供することができ、ユーザーは、クーポンの獲得など、ポイントを利用したサービスを受けることができる。
【００４３】
また、制御部１５は、詳細情報データを広告データ格納部１１から読み出すときに、回数蓄積部１３（第１の回数蓄積部）に蓄積される回数データ（第１の回数データ）を更新する。このようにして記憶された回数データを処理して、詳細情報へのアクセス数からサービスの利用状況や、統計データを算出することを可能にする。また、回数データを反映させて、効率的な課金システムを提供することができる。
【００４４】
また、制御部１５は、ポイント情報要求信号の入力を受け、携帯電話機４に対応付けて蓄積される数値データをポイント蓄積部１２から読み出し、数値データに基づくポイント情報を作成し、作成したポイント情報を送受信部１４を介して携帯電話機４へ送信する。これにより、広告配信サーバ２に蓄積された数値データから作成されたポイント情報を携帯電話機４に取り込み、ポイント情報をクーポンに反映させて表示する。たとえば、ユーザーがポイント情報を利用したクーポン表示を店舗に見せることで割引を受けるサービスを可能にする。
【００４５】
このとき設定に応じて、送信したポイント情報分のポイント量を減少させるようにポイント蓄積部１２に蓄積される数値データを更新してもよい。ポイント情報要求信号とは、ユーザーによりポイント情報を要求する操作があったときに携帯電話機４から発信される信号である。ポイント情報とは、ポイントの数値そのものだけでなく、クーポンや優待チケットの情報等、ポイントの数値に基づいて作成される情報すべてを含む。制御部１５は、ＣＰＵにより構成されている。
【００４６】
地図配信サーバ３は、地図データ格納部２１、回数蓄積部２２、送受信部２３、制御部２４を備えている。地図配信サーバ３は、たとえば、地図を作成し、管理し、提供する事業者により管理されている。ＧＰＳ機能を有する携帯電話機４との間で、端末位置データおよび地図要求信号を受信したとき地図データを返す機能を有している。
【００４７】
地図データ格納部２１は、地図データを格納する。たとえば、各地図データは位置データや縮尺データに対応付けて、または識別情報とともに格納される。ＲＡＭ、ＲＯＭ、ハードディスク等の記憶装置により構成される。
【００４８】
回数蓄積部２２（第２の回数蓄積部）は、各広告データに対応付けて、ナビゲーション用地図要求信号を受信した回数を表わす回数データ（第２の回数データ）を蓄積する。回数データとは、広告データに伴う位置までのナビゲーション機能の選択があったときに、加算されるナビゲーション選択数である。回数蓄積部２２は、ＲＡＭ、ハードディスク等の記憶装置により構成される。
【００４９】
送受信部２３は、外部との間でデータまたは信号の送受信を行なうインターフェースである。送受信部２３は、第２の送信部および第２の受信部に該当する。送受信部２３は、受信したデータまたは信号を制御部２４へ出力し、制御部２４から入力されるデータまたは信号を、広告配信サーバ２や携帯電話機４に送信する。
【００５０】
制御部２４（第２の制御部）は、ナビゲーション用地図要求信号により要求される地図データを地図データ格納部２１から読み出して出力するとともに、回数蓄積部２２に蓄積される回数データ（第２の回数データ）を更新する。これにより、店舗等はナビゲーションを利用して店舗等まで足を運んだユーザーの数を把握することができる。また、広告事業者は、ナビゲーション利用数に基づく課金システムを構築できる。また、制御部２４は、地図要求信号とともに受信した端末位置データを広告配信サーバ２に送受信部２３を介して送信する。制御部２４は、たとえばＣＰＵにより構成されている。
【００５１】
携帯電話機４（携帯通信端末）は、表示部３１、操作部３２、送受信部３３および制御部３４を備えている。携帯電話機４は、ＧＰＳ機能を有しており、自己の経度緯度を測位することができる。端末位置データは、ＧＰＳ機能により測位された携帯電話機４の位置データである。なお、携帯通信端末として携帯電話機４を例に挙げて説明するが、携帯電話機４以外にＰＤＡ等であってもよい。
【００５２】
表示部３１は、地図データおよび広告データを画像により表示する。このように、位置情報の中に広告が挿入されて表示されるため、邪魔にならずにユーザーの目に広告を触れさせることができる。また、表示部３１は、クーポンや優待券等の画像も表示する。表示部３１は、たとえば液晶ディスプレイにより構成されている。構成は画像を表示できるものであれば、特に限定されるものではなく、有機ＥＬディスプレイ、プラズマディスプレイ、ＣＲＴ等であってもよい。
【００５３】
操作部３２は、表示部３１の画像に対して、ナビゲーション機能の起動を選択する操作を受け付ける。たとえば、操作部３２は操作ボタンで構成される。表示部３１が広告表示している場合に、クリッカブルな表示として「ここへ行く」等のメニューを表示し、上下左右ボタンを用いて上記の表示にカーソルを合わせ、決定ボタンを押すことにより、ナビゲーション機能の起動が選択されることとしてもよい。また、メニューの中に「詳細情報」等をクリッカブルに表示し、詳細情報を得たい場合には、その表示にカーソルを合わせて決定ボタンを押すことで詳細要求信号が発信されることとしてもよい。また、操作部３２は、ポイント情報の送信を要求する操作を受け付ける。
【００５４】
送受信部３３は、外部との間でデータまたは信号の送受信を行なうインターフェースである。送受信部３３は、第３の送信部および第３の受信部に該当する。送受信部３３は、受信したデータまたは信号を制御部３４へ出力し、制御部３４から入力されるデータまたは信号を、広告配信サーバ２や地図配信サーバ３に送信する。
【００５５】
制御部３４は、操作部３２への操作を受けて、地図要求信号および端末位置データを送受信部３３を介して地図配信サーバ３へ送信するとともに、広告データに対応付けられた位置データが表わす緯度経度までのナビゲーションの処理を行なう。ナビゲーションの処理とは、地図要求信号および端末位置データの送信処理、地図データおよびルートの表示処理等の目的地までのナビゲーションに必要となる処理である。これにより、位置情報の中に表示される広告に対してユーザーの操作を受けることで、携帯電話機４に店舗等までのナビゲーションを行なう機能を持たせることができる。ユーザーが興味を持った店舗等にユーザーを誘導することを可能にする。
【００５６】
また、制御部３４は、送受信部３３を介して、ポイント情報要求信号を広告配信サーバ２へ送信し、ポイント情報を受信する。このように、携帯電話機４の要求により、ポイントの情報を取得でき、簡易にクーポン表示をすることが可能になる。その結果、ユーザーの地域情報の活用を促進することができ、店舗等にとっての宣伝効果を高めることができる。制御部３４は、たとえばＣＰＵにより構成されている。
【００５７】
次に、広告配信システム１の動作について説明する。まず、広告配信サーバ２の動作を説明する。図２および図３は、広告配信サーバ２の特徴的な動作を示すフローチャートである。
【００５８】
広告配信サーバ２は、地図配信サーバ３から送信された端末位置データの受信があったか否かを判断する（ステップＳ１）。受信が無かった場合には、ステップＳ５に移行する。受信があった場合には、制御部１５が広告データ格納部１１に格納された広告データに対応付けられた位置データを読み出し、端末位置データから所定範囲内の位置データがあるか否かを判断する（ステップＳ２）。無い場合にはステップＳ５に移行する。
【００５９】
端末位置データから所定範囲内の位置データがある場合には、制御部１５は位置データが対応付けられた広告データを読み出す（ステップＳ３）。次に、読み出した広告データを、送受信部１４を介して携帯電話機４に送信する（ステップＳ４）。
【００６０】
次に、制御部１５は詳細要求信号を受信したか否かを判断する（ステップＳ５）。詳細要求信号を受信していない場合には、ステップＳ１０に移行する。詳細要求信号を受信している場合には、制御部１５は詳細情報データを広告データ格納部１１から読み出し（ステップＳ６）、詳細情報データを携帯電話機４に送信する（ステップＳ７）。さらに、制御部１５は回数蓄積部１３の回数データを更新する（ステップＳ８）。また、制御部１５はポイント蓄積部１２の数値データを更新する（ステップＳ９）。なお、本実施の形態では、詳細情報の閲覧によりポイント量が蓄積され、そのポイント量を優待券等に換えることができるが、詳細情報の閲覧があったときには、そのまま広告配信サーバ２が優待券を配信することとしてもよい。
【００６１】
次に、制御部１５はポイント情報要求信号があるか否かを判断する（ステップＳ１０）。ポイント情報要求信号が無い場合には、リターンする。ある場合には、制御部１５は、ポイント蓄積部１２から数値データを読み出し（ステップＳ１１）、それに基きポイント情報を作成し（ステップＳ１２）、作成されたポイント情報を携帯電話機４に送信する（ステップＳ１３）。そして、再び開始へリターンする。
【００６２】
次に、地図配信サーバ３の動作を説明する。図４は、地図配信サーバ３の特徴的な動作を示すフローチャートである。
【００６３】
まず、ナビゲーションまたは現在地表示モードにある携帯電話機４から地図要求信号を受信したか否かを制御部２４が判断する。（ステップＴ１）。受信していなかった場合には、リターンする。受信した場合には、制御部２４は、地図データ格納部２１から地図データを読み出し（ステップＴ２）、携帯電話機４に読み出した地図データを送信する（ステップＴ３）。その一方で、広告配信サーバ２へ端末位置データを送信する。次に、制御部２４は、受信した地図要求信号が、広告データに関連する目的地へのナビゲーション用であるか否かを判断する（ステップＴ４）。広告データに関連しない場合には、終了する。広告データに関連する目的地へのナビゲーション用である場合には、制御部２４は、回数蓄積部２２に蓄積される回数データを更新する（ステップＴ５）。そして、再び開始へリターンする。
【００６４】
次に、携帯電話機４の動作を説明する。図５は、携帯電話機４の特徴的な動作を示すフローチャートである。
【００６５】
まず、ナビゲーションまたは現在地表示モードにある携帯電話機４は、端末位置データを地図配信サーバ３に送信する（ステップＰ１）。次に地図データを地図配信サーバ３から、広告データを広告配信サーバ２から受信する（ステップＰ２）。なお、広告配信サーバ２の広告データ格納部１１に、所定範囲内の位置データが対応付けられた広告データがない場合には、広告データは受信されない。次に、受信した地図データの画像および広告データの画像を表示部３１に表示する（ステップＰ３）。
【００６６】
図６および図７は、広告の表示例である。図６の表示例では、表示部３１には、ナビゲーション用に地図が表示されており、地図ビューア上にテロップ状の広告表示４１がなされている。たとえば、携帯電話機４から５００ｍ以内にフリーマーケットが開催されている公園があるときには、地図表示の下段に「１７：００まで○×公園にてフリマ開催中！」という表示がスクロールする。この場合には、文字のみの表示となる。表示は、たとえばＢｒｅｗアプリにより実装される。また、図７の表示例では、グラフィカルな画像付きの広告表示４２がなされ、実際の公園の様子などが画像表示される。
【００６７】
次に、制御部３４は、詳細情報の選択操作が操作部３２に対してなされたか否かを判断する（ステップＰ４）。選択操作がなされていない場合には、ステップＰ８に移行する。選択操作は、たとえば上記のようなテロップや画像の広告表示をクリッカブルにし、カーソルを広告表示に合わせて、決定ボタンを押すという操作が該当する。選択操作がなされている場合には、詳細要求信号を広告配信サーバ２に送信する（ステップＰ５）。そして、広告配信サーバ２が送信する詳細情報データを受信する（ステップＰ６）。次に、受信した詳細情報データを画像として表示部３１に表示する（ステップＰ７）。
【００６８】
なお、上記のような動作以外にも、広告データとして得たアイコン表示用データにより地図表示画面にアイコンをクリッカブルに表示してもよい。その場合に、アイコンがクリックされたときには、詳細要求信号を送信することとしてもよいし、店舗のＷＥＢサイトにアクセスするような設定にしてもよい。また、広告データとして得たＵＲＬデータにより画面にＵＲＬをクリッカブルに表示し、ＵＲＬがクリックされたときには、店舗のＷＥＢサイトにアクセスするような設定にしてもよい。
【００６９】
次に、制御部３４は、広告データに関連する目的地へのナビゲーションの選択があったか否かを判断する（ステップＰ８）。ナビゲーションの選択がなかった場合には、そのままリターンする。ナビゲーションの選択があった場合には、ナビゲーションの処理を行ない（ステップＰ９）、リターンする。
【００７０】
次に、携帯電話機４がポイント情報を表示部３１に表示する場合の動作を簡単に説明する。まず、制御部３４は送受信部３３を介して、ポイント情報要求信号を広告配信サーバ２に送信する。そして、地図要求信号に応じて広告配信サーバ２から送信されるポイント情報を受信する。受信したポイント情報に基づき、表示部３１はユーザーへの特典を表わす画像を表示する。たとえば、この画像がクーポンや優待券となっている。
【００７１】
（実施形態２）
上記の実施形態１では、詳細情報データを広告配信サーバ２が格納し、携帯電話機４からの詳細要求信号に応じて広告データ格納部１１から読み出して、携帯電話機４へ送信するが、広告配信サーバ２以外のサーバに携帯電話機４をアクセスさせて、詳細情報を取得させる構成としてもよい。
【００７２】
この場合、あらかじめ広告データに特定のＵＲＬ情報を含ませて広告データ格納部１１に記憶し、そのような広告データを携帯電話機４に送信し、携帯電話機４上でＵＲＬをクリッカブルに表示する。このＵＲＬがクリックされたときには、携帯電話機４が詳細要求信号を広告配信サーバ２に送信する。
【００７３】
広告配信サーバ２の制御部１５は、携帯電話機４から受信した詳細要求信号に特定のＵＲＬ情報が含まれるか否かを判定する。含まれる場合には、あらかじめ設定されたプログラムを実行し、特定のＵＲＬ情報に対応する別のサーバに携帯電話機４をアクセスさせる処理を行なう。このように広告配信サーバ２が接続先を自動的に変えることを広く転送という。このような転送の処理には、たとえば以下のようなリダイレクトの処理がある。
【００７４】
携帯電話機４のブラウザは、広告配信サーバ２に詳細要求信号を送信する。この詳細要求信号のヘッダには、特定のトリガー情報が含まれている。特定のトリガー情報としては、たとえば特定のＵＲＬ情報がある。
【００７５】
広告配信サーバは、その詳細要求信号を取得し、その制御部は特定のトリガー情報を識別した上で、特定のトリガー情報に対応するサイト（リダイレクト先）を指定し、そのサイトにアクセスし直すように携帯電話機４に指示を出す。たとえば、特定のトリガー情報に対応するサイト情報は、広告配信サーバ２のメモリにあらかじめ格納しておき、制御部１５が必要に応じて読み込むこととする。アクセスし直しを指示する信号のヘッダにはＵＲＬ情報が含まれている。
【００７６】
一方で、制御部１５は、ポイント蓄積部１２に蓄積される数値データを更新する。これにより、携帯電話機４が他のサーバにアクセスして詳細情報を取得する場合でも、広告配信サーバ２を経由するため、ポイントを加算することが可能になる。アクセスし直しの指示を受けた携帯電話機４は、指示を受けたサイトにアクセスする。このようにして、自動的に接続先を変える転送の処理が行なわれる。なお、ヘッダを使わないでリダイレクトの指示を書き込むことも可能である。
【００７７】
なお、上記の実施形態では、地図配信サーバ３から端末位置データを受信した広告配信サーバ２が、携帯電話機４に広告データを送信することとしているが、地図配信サーバ３を介さずに、携帯電話機４から直接に広告配信サーバに端末位置データを送信することとしてもよい。その場合には、広告配信サーバは、直接に端末位置データを受信し、広告データをその携帯電話機４に送信する。
【図面の簡単な説明】
【００７８】
【図１】本発明に係る広告配信システムを示すブロック図である。
【図２】本発明に係る広告配信サーバの特徴的な動作を示すフローチャートである。
【図３】本発明に係る広告配信サーバの特徴的な動作を示すフローチャートである。
【図４】本発明に係る地図配信サーバの特徴的な動作を示すフローチャートである。
【図５】本発明に係る携帯電話機の特徴的な動作を示すフローチャートである。
【図６】本発明に係る携帯電話機に表示された広告の表示例である。
【図７】本発明に係る携帯電話機に表示された広告の表示例である。
【符号の説明】
【００７９】
１  広告配信システム
２  広告配信サーバ
３  地図配信サーバ
４  携帯電話機（携帯通信端末）
１１  広告データ格納部
１２  ポイント蓄積部
１３  回数蓄積部（第１の回数蓄積部）
１４  送受信部（第１の送信部、第１の受信部）
１５  制御部（第１の制御部）
２１  地図データ格納部
２２  回数蓄積部（第２の回数蓄積部）
２３  送受信部（第２の送信部、第２の受信部）
２４  制御部（第２の制御部）
３１  表示部
３２  操作部
３３  送受信部（第３の送信部、第３の受信部）
３４  制御部（第３の制御部）
４１、４２  広告表示
【図１】
2006279182.tif 000003
【図２】
2006279182.tif 000004
【図３】
2006279182.tif 000005
【図４】
2006279182.tif 000006
【図５】
2006279182.tif 000007
【図６】
2006279182.tif 000008
【図７】
2006279182.tif 000009